(57)【要約】【課題】更新情報によるデータの更新が行われないのを効果的に抑制することが可能な表示装置の更新通知システムおよびその表示装置を提供する。【解決手段】この更新通知システム１００は、通信部２４と、表示部２１と、制御部２７とを含む携帯情報端末２０と、ローカルエリアネットワーク９０を介して携帯情報端末２０と通信する通信部１７と、データの更新のための更新情報を放送波から受信する受信部１１と、更新情報による更新の実施時刻に関する更新時刻情報を取得する主制御部１８とを含むテレビジョン装置１０とを備える。この更新通知システム１００は、主制御部１８により更新時刻情報が取得されたことに基づいて、ローカルエリアネットワーク９０を介してデータの更新の実施予告通知が携帯情報端末２０に対して行われるように構成されている。【選択図】図５
2015192306.tif 000002
【特許請求の範囲】
【請求項１】
ネットワークを介して通信する端末側通信部と、端末側制御部とを含む情報端末と、
前記ネットワークを介して前記情報端末と通信する表示装置側通信部と、データの更新のための更新情報を放送波から受信する受信部と、前記更新情報による更新の実施時刻に関する更新時刻情報を取得する表示装置側制御部とを含む表示装置と、を備え、
前記表示装置側制御部により前記更新時刻情報が取得されたことに基づいて、前記ネットワークを介してデータの更新の実施予告通知が前記情報端末に対して行われるように構成されている、表示装置の更新通知システム。
【請求項２】
前記情報端末は、画像を表示する表示部をさらに備え、
前記表示装置の前記表示装置側制御部は、前記更新時刻情報に基づいて、実施予告通知情報を作成して、作成した前記実施予告通知情報を前記情報端末に対して送信することによって、前記実施予告通知を行うように構成されており、
前記端末側制御部は、前記表示装置から前記実施予告通知情報を受信した際に、受信した前記実施予告通知情報に基づく実施予告画像を前記表示部に表示する制御を行うことによって、ユーザに対してデータの更新の予告を行うように構成されている、請求項１に記載の表示装置の更新通知システム。
【請求項３】
前記端末側制御部は、前記表示装置から前記実施予告通知情報を受信した際に、前記実施予告画像として前記更新の実施時刻を前記表示部に表示する制御を行うことによって、ユーザに対してデータの更新の予告を行うように構成されている、請求項２に記載の表示装置の更新通知システム。
【請求項４】
前記表示装置の前記表示装置側制御部は、前記更新時刻情報を取得した際に、前記実施予告通知情報を前記情報端末に送信する制御を行うように構成されており、
前記実施予告画像は、前記情報端末により前記表示装置から前記実施予告通知情報が受信された際に、前記情報端末の前記表示部に表示される第１実施予告画像を含む、請求項２または３に記載の表示装置の更新通知システム。
【請求項５】
前記実施予告画像は、前記第１実施予告画像に加えて、前記第１実施予告画像が前記表示部に表示された後で、かつ、前記更新の実施時刻の前に、前記情報端末の前記表示部に表示される第２実施予告画像をさらに含む、請求項４に記載の表示装置の更新通知システム。
【請求項６】
前記端末側制御部は、前記第１実施予告画像が表示部に表示された後で、かつ、前記更新の実施時刻の前に、前記表示装置に対して前記表示装置の状態を確認する問い合わせ情報を送信する制御を行うように構成されており、前記問い合わせ情報に対する前記表示装置からの応答がない場合には、前記表示部に前記第２実施予告画像を表示する制御を行うとともに、前記問い合わせ情報に対する前記表示装置からの応答がある場合には、前記表示部に前記第２実施予告画像を表示しないように構成されている、請求項５に記載の表示装置の更新通知システム。
【請求項７】
前記実施予告通知情報は、前記表示装置に電力を供給するためのユーザによる操作に関する操作情報を含み、
前記端末側制御部は、前記表示装置から前記実施予告通知情報を受信した際に、受信した前記実施予告通知情報に基づいて、前記実施予告画像として前記更新の実施時刻および前記操作情報を前記表示部に表示することによって、ユーザに対してデータの更新の予告を行うように構成されている、請求項３に記載の表示装置の更新通知システム。
【請求項８】
ネットワークを介して情報端末と通信する通信部と、
データの更新のための更新情報を放送波から受信する受信部と、
前記更新情報による更新の実施時刻に関する更新時刻情報を取得する制御部とを備え、
前記制御部により前記更新時刻情報が取得されたことに基づいて、前記ネットワークを介してデータの更新の実施予告通知が前記情報端末に対して行われるように構成されている、表示装置。
【発明の詳細な説明】
【技術分野】
【０００１】
この発明は、表示装置の更新通知システムおよび表示装置に関し、特に、データの更新のための更新情報を放送波から受信する受信部を含む表示装置を備える表示装置の更新通知システムおよびその表示装置に関する。
【背景技術】
【０００２】
従来、データの更新のための更新情報を放送波から受信する受信部を含む表示装置が知られている（たとえば、特許文献１参照）。
【０００３】
上記特許文献１には、データの更新のためのプログラムを放送波から受信（ダウンロード）するチューナと、プログラムがダウンロードされるのをユーザに通知するための通知情報を作成する通知部と、通知部から送信される通知情報に基づいてプログラムのダウンロードの通知画像を表示するディスプレイとを備える薄型テレビ（表示装置）が開示されている。この薄型テレビは、プログラムのダウンロードの通知画像をダウンロードの直前、または、ダウンロード時にディスプレイに表示するように構成されている。
【０００４】
ここで、一般的に、プログラムがダウンロードされる時刻に関する情報は、プログラムがダウロードされる時刻の数日前に放送波により配信される。そして、表示装置では、プログラムがダウロードされる時刻に関する情報に基づいて、プログラムがダウロードされるスケジュールが設定される。
【先行技術文献】
【特許文献】
【０００５】
【特許文献１】ＷＯ２００６／０８０３６１号公報
【発明の概要】
【発明が解決しようとする課題】
【０００６】
しかしながら、上記特許文献１に記載の薄型テレビでは、プログラムがダウンロードされる時刻に関する情報をプログラムがダウロードされる時刻の数日前に取得したとしても、プログラムのダウンロードの直前、または、ダウンロード時にしか通知画像が表示されないため、ユーザは、ダウンロードの直前になるまでプログラムがダウンロードされるのを知ることができないという不都合がある。ここで、表示装置を視聴しないときには節電のため電源プラグをコンセントから取り外すユーザの場合も、プログラムがダウンロードされる時刻に関する情報を数日前に取得した後、ダウンロードの直前までプログラムがダウンロードされるのを知らないため、プログラムがダウンロードされる時刻に関する情報を取得後、プログラムがダウンロードされる直前までの数日間の間に薄型テレビの電源プラグをコンセントから取り外す場合がある。そして、プログラムがダウンロードされる直前に電源プラグが取り外されている状態である場合には、ユーザへの通知（表示）も行われず、かつ、直後のプログラムがダウンロードされる時刻においても、電源プラグがコンセントから取り外されている可能性が非常に高い。その場合には、プログラムがダウンロードされる時間に電力供給がないためプログラムがダウンロードされず、プログラムによるデータの更新が行われないという問題点がある。
【０００７】
この発明は、上記のような課題を解決するためになされたものであり、この発明の１つの目的は、更新情報によるデータの更新が行われないのを効果的に抑制することが可能な表示装置の更新通知システムおよびその表示装置を提供することである。
【課題を解決するための手段】
【０００８】
この発明の第１の局面による表示装置の更新通知システムは、ネットワークを介して通信する端末側通信部と、端末側制御部とを含む情報端末と、ネットワークを介して情報端末と通信する表示装置側通信部と、データの更新のための更新情報を放送波から受信する受信部と、更新情報による更新の実施時刻に関する更新時刻情報を取得する表示装置側制御部とを含む表示装置とを備え、表示装置側制御部により更新時刻情報が取得されたことに基づいて、ネットワークを介してデータの更新の実施予告通知が情報端末に対して行われるように構成されている。
【０００９】
この発明の第１の局面による表示装置の更新通知システムでは、上記のように、表示装置側制御部により更新時刻情報が取得されたことに基づいて、ネットワークを介してデータの更新の実施予告通知が情報端末に対して行われるように構成することによって、通常更新の実施時刻の数日前に取得される更新時刻情報が取得されたことをトリガーとしてデータの更新の実施予告通知が行われるので、更新の直前ではなく、更新時刻情報が取得されたタイミングに近い比較的早いタイミングで、更新情報によりデータの更新が行われるのを情報端末を介してユーザに知らせることができる。これにより、比較的早いタイミングで更新を知ったユーザは、更新時刻情報取得後で、かつ、更新直前までの数日間の間にコンセントから電源プラグを取り外すことがあったとしても、少なくとも更新情報による更新の実施時刻においては、電源プラグをコンセントに取り付けると思われるので、更新の実施時刻において、表示装置に電力が供給されていない状態になるのを効果的に抑制することができる。その結果、更新情報による更新の実施時刻において、受信部により更新情報を受信することができるので、更新情報によるデータの更新が行われないのを効果的に抑制することができる。また、ネットワークを介してデータの更新の実施予告通知が情報端末に対して行われるように構成することによって、ユーザが表示装置を視聴していない場合にも、情報端末を介して実施予告通知をユーザに知らせることができるので、より効果的にユーザにデータの更新を認識させることができる。
【００１０】
上記第１の局面による表示装置の更新通知システムにおいて、好ましくは、情報端末は、画像を表示する表示部をさらに備え、表示装置の表示装置側制御部は、更新時刻情報に基づいて、実施予告通知情報を作成して、作成した実施予告通知情報を情報端末に対して送信することによって、実施予告通知を行うように構成されており、端末側制御部は、表示装置から実施予告通知情報を受信した際に、受信した実施予告通知情報に基づく実施予告画像を表示部に表示する制御を行うことによって、ユーザに対してデータの更新の予告を行うように構成されている。このように構成すれば、実施予告画像を情報端末の表示部に表示することによって、実施予告画像をユーザに容易に認識させることができるので、更新情報によりデータの更新が行われるのをユーザに容易に知らせることができる。これにより、更新情報による更新の実施時刻において、更新情報によるデータの更新が行われないのをより効果的に抑制することができる。
【００１１】
この場合、好ましくは、端末側制御部は、表示装置から実施予告通知情報を受信した際に、実施予告画像として更新の実施時刻を表示部に表示する制御を行うことによって、ユーザに対してデータの更新の予告を行うように構成されている。このように構成すれば、実施予告画像として更新情報による更新の実施時刻をユーザに認識させることができるので、いずれの時間に更新情報によるデータの更新が行われるかをユーザに知らせることができる。したがって、更新情報による更新の実施時刻において、更新情報によるデータの更新が行われないのをより一層効果的に抑制することができる。
【００１２】
上記表示装置側制御部が実施予告通知情報を情報端末に対して送信する構成において、好ましくは、表示装置の表示装置側制御部は、更新時刻情報を取得した際に、実施予告通知情報を情報端末に送信する制御を行うように構成されており、実施予告画像は、情報端末により表示装置から実施予告通知情報が受信された際に、情報端末の表示部に表示される第１実施予告画像を含む。このように構成すれば、更新時刻情報を取得した際よりも後のタイミングに実施予告通知情報を情報端末に送信する構成と異なり、ユーザにより電源プラグがコンセントから取り外されるなどして、表示装置が実施予告通知情報を送信不能な状態（電力が供給されていない状態）になる前に、迅速に第１実施予告画像を情報端末の表示部に表示することができる。
【００１３】
この場合、好ましくは、実施予告画像は、第１実施予告画像に加えて、第１実施予告画像が表示部に表示された後で、かつ、更新の実施時刻の前に、情報端末の表示部に表示される第２実施予告画像をさらに含む。このように構成すれば、第１実施予告画像に加えて、第２実施予告画像により再度ユーザに対してデータの更新の予告を行うことができるので、更新情報によりデータの更新が行われるのをユーザに確実に知らせることができる。
【００１４】
上記第１実施予告画像および第２実施予告画像を含む構成において、好ましくは、端末側制御部は、第１実施予告画像が表示部に表示された後で、かつ、更新の実施時刻の前に、表示装置に対して表示装置の状態を確認する問い合わせ情報を送信する制御を行うように構成されており、問い合わせ情報に対する表示装置からの応答がない場合には、表示部に第２実施予告画像を表示する制御を行うとともに、問い合わせ情報に対する表示装置からの応答がある場合には、表示部に第２実施予告画像を表示しないように構成されている。このように構成すれば、問い合わせ情報に対する表示装置からの応答がない場合（表示装置が更新情報を受信不能な状態である可能性が高い場合）には、情報端末の表示部に第２実施予告画像を表示することによって、更新情報によりデータの更新が行われるのをユーザに確実に知らせることができるので、更新情報による更新の実施時刻において、更新情報によるデータの更新が行われないのを効果的に抑制することができる。また、問い合わせ情報に対する表示装置からの応答がある場合（表示装置が更新情報を受信可能な状態である可能性が高い場合）には、情報端末の表示部に第２実施予告画像を表示しないことによって、ユーザに対して不必要にデータの更新の予告を行うのを抑制することができる。したがって、表示装置の状態に応じて、適切に第２実施予告画像によるデータの更新の予告を行うことができる。
【００１５】
上記端末側制御部が実施予告通知として更新の実施時刻を表示部に表示する構成において、好ましくは、実施予告通知情報は、表示装置に電力を供給するためのユーザによる操作に関する操作情報を含み、端末側制御部は、表示装置から実施予告通知情報を受信した際に、受信した実施予告通知情報に基づいて、実施予告画像として更新の実施時刻および操作情報を表示部に表示することによって、ユーザに対してデータの更新の予告を行うように構成されている。このように構成すれば、更新の実施時刻と共に、更新の実施時刻までに行う必要のある操作の操作情報を表示部に表示することができるので、いずれの時間までにいずれの操作を行うべきであるかをユーザに容易に知らせることができる。これによっても、更新情報による更新の実施時刻において、更新情報によるデータの更新が行われないのを効果的に抑制することができる。
【００１６】
この発明の第２の局面による表示装置は、ネットワークを介して情報端末と通信する通信部と、データの更新のための更新情報を放送波から受信する受信部と、更新情報による更新の実施時刻に関する更新時刻情報を取得する制御部とを備え、制御部により更新時刻情報が取得されたことに基づいて、ネットワークを介してデータの更新の実施予告通知が情報端末に対して行われるように構成されている。
【００１７】
この発明の第２の局面による表示装置では、上記のように、制御部により更新時刻情報が取得されたことに基づいて、ネットワークを介してデータの更新の実施予告通知が情報端末に対して行われるように構成することによって、通常更新の実施時刻の数日前に取得される更新時刻情報が取得されたことをトリガーとしてデータの更新の実施予告通知が行われるので、更新の直前ではなく、更新時刻情報が取得されたタイミングに近い比較的早いタイミングで、更新情報によりデータの更新が行われるのを情報端末を介してユーザに知らせることができる。これにより、比較的早いタイミングで更新を知ったユーザは、更新時刻情報取得後で、かつ、更新直前までの数日間の間にコンセントから電源プラグを取り外すことがあったとしても、少なくとも更新情報による更新の実施時刻においては、電源プラグをコンセントに取り付けると思われるので、更新の実施時刻において、表示装置に電力が供給されていない状態になるのを効果的に抑制することができる。その結果、更新情報による更新の実施時刻において、受信部により更新情報を受信することができるので、更新情報によるデータの更新が行われないのを効果的に抑制することができる。また、ネットワークを介してデータの更新の実施予告通知が情報端末に対して行われるように構成することによって、ユーザが表示装置を視聴していない場合にも、情報端末を介して実施予告通知をユーザに確実に知らせることができるので、より効果的にユーザにデータの更新を認識させることができる。
【発明の効果】
【００１８】
本発明によれば、上記のように、更新情報によるデータの更新が行われないのを効果的に抑制することが可能な表示装置の更新通知システムおよびその表示装置を提供することができる。
【図面の簡単な説明】
【００１９】
【図１】本発明の第１実施形態による更新通知システムの全体構成を示す図である。
【図２】本発明の第１実施形態による更新通知システムの全体構成を示すブロック図である。
【図３】本発明の第１実施形態による更新通知システムの実施予告通知情報を説明するための図である。
【図４】本発明の第１実施形態による更新通知システムの実施予告画像の一例を示す図である。
【図５】本発明の第１実施形態による更新通知システムの実施予告通知処理を説明するためのフローチャートである。
【図６】本発明の第２実施形態による更新通知システムの実施予告通知処理を説明するためのフローチャートである。
【図７】図６において電力の供給が断たれた場合の更新通知システムの実施予告通知処理を説明するためのフローチャートである。
【図８】本発明の第３実施形態による更新通知システムの確認付き実施予告画像の一例を示す図である。
【図９】本発明の第３実施形態による更新通知システムの実施予告通知処理を説明するためのフローチャートである。
【図１０】図９の実施予告通知処理の続きを示すフローチャートである。
【発明を実施するための形態】
【００２０】
以下、本発明を具体化した実施形態を図面に基づいて説明する。
【００２１】
（第１実施形態）
図１〜図４を参照して、本発明の第１実施形態による更新通知システム１００の構成について説明する。なお、更新通知システム１００は、本発明の「表示装置の更新通知システム」の一例である。
【００２２】
本発明の第１実施形態による更新通知システム１００は、図１に示すように、放送番組などを表示するテレビジョン装置１０と、多機能携帯電話（スマートフォン）としての携帯情報端末２０とを備えている。また、更新通知システム１００は、図示しないサーバなどにより構築されるローカルエリアネットワーク９０を介して、テレビジョン装置１０と情報端末２０とが通信するように構成されている。ローカルエリアネットワーク９０としては、ホームサーバなどにより構築されるホームネットワークなどを用いることができる。なお、ローカエルエリアネットワーク９０は、本発明の「ネットワーク」の一例である。また、テレビジョン装置１０は、本発明の「表示装置」の一例である。また、携帯情報端末２０は、本発明の「情報端末」の一例である。
【００２３】
ここで、テレビジョン装置１０は、テレビジョン装置１０に関するデータの更新のための更新情報（更新のためのプログラム）を放送波から受信して、受信した更新情報に基づいて、テレビジョン装置１０のファームウェアや、電子番組表情報、周波数変更時の周波数情報、Ｂ−ＣＡＳカード３１（図２参照）の契約情報などのデータを更新するように構成されている。この更新情報は、テレビジョン装置１０の電源プラグ３３（図２参照）がコンセントから取り外されている場合など、テレビジョン装置１０に電力が供給されていない場合には、受信されない。
【００２４】
また、テレビジョン装置１０は、更新情報による更新の実施時刻に関する更新時刻情報を取得するように構成されている。更新時刻情報は、更新情報が配信される数日前に放送波により配信される。また、Ｂ−ＣＡＳカード３１の契約情報の更新の場合には、Ｂ−ＣＡＳカード３１が更新時刻情報を有している。したがって、テレビジョン装置１０は、更新情報による更新の実施時刻よりも前に、放送波またはＢ−ＣＡＳカード３１から更新時刻情報を取得するように構成されている。
【００２５】
ここで、第１実施形態の更新通知システム１００では、テレビジョン装置１０は、更新情報による更新の実施時刻に関する更新時刻情報を取得するとともに、取得した更新時刻情報に基づいて実施予告通知情報を作成して、作成した実施予告通知情報を情報端末２０に対して送信する制御を行うように構成されている。そして、この更新通知システム１００では、携帯情報端末２０は、テレビジョン装置１０から実施予告通知情報を受信した際に、受信した実施予告通知情報に基づく実施予告画像４０（図４参照）を表示部２１に表示するように構成されている。これにより、この更新通知システム１００では、テレビジョン装置１０を保有するユーザに対して、携帯情報端末２０を介してテレビジョン装置１０に関するデータの更新の予告が行われる。このデータの更新の実施予告通知処理の詳細については、テレビジョン装置１０および携帯情報端末２０の構成要素の説明の後、説明する。
【００２６】
テレビジョン装置１０は、図２に示すように、受信部１１と、復調部１２と、表示部１３と、スピーカ１４と、ＲＯＭ１５と、ＲＡＭ１６と、通信部１７と、主制御部１８と、副制御部１９とを含んでいる。また、テレビジョン装置１０では、Ｂ−ＣＡＳカード３１が読取部３２に装着されている。これにより、テレビジョン装置１０では、デジタル放送の放送番組を視聴することが可能である。また、テレビジョン装置１０では、電源プラグ３３が電力を供給する図示しないコンセントに接続されて、電力が供給される。なお、通信部１７は、本発明の「表示装置側通信部」の一例である。また、主制御部１８は、本発明の「表示装置側制御部」の一例である。
【００２７】
ここで、テレビジョン装置１０の状態について説明する。このテレビジョン装置１０は、「パワーオン状態」、「第１待機状態」、「第２待機状態」および「パワーオフ状態」の４つの状態を有する。
【００２８】
「パワーオン状態」は、電源プラグ３３がコンセントに接続されてテレビジョン装置１０に電力が供給されており、受信部１１により放送番組が受信されてユーザが放送番組を視聴する状態である。
【００２９】
「第１待機状態」は、主制御部１８に電力が供給されている（主制御部１８が動作している）ものの、受信部１１により放送番組が受信されずユーザが放送番組を視聴することができない状態である。すなわち、「第１待機状態」は、ユーザにより図示しないリモコン装置の電源ボタンが操作されてテレビジョン装置１０の電源が切られた状態である。テレビジョン装置１０は、「第１待機状態」において、更新情報を受信して更新情報による更新を主制御部１８により実行することが可能なように構成されている。
【００３０】
「第２待機状態」は、主制御部１８に電力が供給されておらず、副制御部１９に電力が供給されている状態である。すなわち、「第２待機状態」は、「第１待機状態」よりも消費電力の低い待機状態のことである。このテレビジョン装置１０は、ユーザによりリモコン装置の電源ボタンが操作されて、「パワーオン状態」から「第１待機状態」に遷移した後、所定の時間経過後に、自動的に「第２待機状態」に遷移するように構成されている。また、テレビジョン装置１０は、更新情報による更新を実行するために、更新情報による更新の実施時刻の３０〜６０分前の時刻（起動時刻）において、「第２待機状態」から「第１待機状態」に遷移して、更新情報による更新を主制御部１８により実行することが可能なように構成されている。
【００３１】
「パワーオフ状態」は、ユーザにより電源プラグ３３がコンセントから取り外されるなどしてテレビジョン装置１０に電力が供給されていない状態である。「パワーオフ状態」では、更新情報は、受信されない。
【００３２】
なお、「パワーオン状態」では、テレビジョン装置１０は、受信部１１に空きがある場合や、放送番組の受信を中断して更新情報を受信する設定がなされている場合などには、更新情報を受信して更新情報による更新を主制御部１８により実行することが可能である。
【００３３】
次に、図２を参照して、テレビジョン装置１０の構成要素を説明する。
【００３４】
受信部１１は、放送番組に関する映像情報や音声情報、上記した更新情報、更新時刻情報を含む放送波を無線または有線で受信するように構成されている。
【００３５】
復調部１２は、受信部１１により受信された放送波を復調して、映像情報、音声情報、更新情報および更新時刻情報をデジタル信号として、表示部１３やスピーカ１４、主制御部１８に出力するように構成されている。そして、表示部１３では、入力された映像情報に基づいて、放送番組などの映像が表示されるとともに、スピーカ１４では、映像に対応する音声が出力される。
【００３６】
ＲＯＭ１５は、書き換え可能なフラッシュＲＯＭを含む不揮発性のメモリである。ＲＯＭ１５には、主制御部１８により用いられる各種のデータが格納される。詳細には、ＲＯＭ１５には、後述する実施予告通知処理（図５参照）のうちテレビジョン装置１０側で実行される処理に対応するプログラムや、受信部１１により放送波から受信した更新情報および更新時刻情報などが格納される。
【００３７】
ＲＡＭ１６は、揮発性のメモリである。また、ＲＡＭ１６は、ＲＯＭ１５に格納されたデータが主制御部１８により用いられる際に、作業領域として利用されるように構成されている。詳細には、ＲＡＭ１６は、実施予告通知処理のためのプログラムが主制御部１８により実行される際や、更新情報による更新処理が実行される際などに作業領域として利用されるように構成されている。
【００３８】
通信部１７は、有線または無線でローカルネットワーク９０に接続されるように構成されている。また、通信部１７は、ローカルネットワーク９０を介して、携帯情報端末２０と通信するように構成されている。
【００３９】
主制御部１８は、テレビジョン装置１０の各構成要素を制御するように構成されている。ここで、第１実施形態では、主制御部１８は、放送波またはＢ−ＣＡＳカード３１から更新情報による更新の実施時刻に関する更新時刻情報を取得した際に、ローカルエリアネットワーク９０に接続されている機器に対して、実施予告通知機能を有するか否かを問い合わせるための問い合わせ情報を送信（ブロードキャスト）する制御を行うように構成されている。
【００４０】
また、主制御部１８は、実施予告通知機能を有する機器（携帯情報端末２０）から応答がある場合には、取得した更新時刻情報に基づいて実施予告通知情報を作成して、作成した実施予告通知情報をローカルエリアネットワーク９０を介して実施予告通知機能を有する機器（携帯情報端末２０）に対して送信する制御を行うように構成されている。
【００４１】
ここで、更新時刻情報に基づいて作成される実施予告通知情報は、図３に示すように、製品に関する情報として「メーカー名」、「モデル名」および「型番」を含むとともに、更新情報に関する情報として「更新識別番号」、「起動時刻」、「更新時刻」および「操作手順」を含む。「更新識別番号」は、作成された実施予告通知情報が、いずれの更新情報に対応する実施予告通知情報であるかを識別するための番号である。「起動時刻」は、テレビジョン装置１０が「第２待機状態」から「第１待機状態」に遷移する時刻であり、更新の実施時刻に基づいて主制御部１８により設定される時刻である。「更新時刻」は、更新情報による更新の実施時刻である。「操作手順」は、更新情報を受信するために、更新時刻までにユーザがなすべき操作手順のことである。
【００４２】
副制御部１９は、主制御部１８への電力の供給を制御して、テレビジョン装置１０を「第２待機状態」から「第１待機状態」に遷移させるように構成されている。具体的には、副制御部１９は、ユーザによるリモコン装置の操作がある場合や、起動時刻になった場合などに、主制御部１８への電力の供給を制御して、テレビジョン装置１０を「第２待機状態」から「第１待機状態」に遷移させるように構成されている。
【００４３】
次に、図２を参照して、携帯情報端末２０の構成要素について説明する。
【００４４】
携帯情報端末２０は、表示部２１と、スピーカ２２と、操作部２３と、通信部２４と、ＲＯＭ２５と、ＲＡＭ２６と、制御部２７とを含んでいる。なお、通信部２４は、本発明の「端末側通信部」の一例である。また、制御部２７は、本発明の「端末側制御部」の一例である。
【００４５】
表示部２１およびスピーカ２２は、各々、携帯情報端末２０が有するプログラムに基づいて映像および音声情報を映像および音声として出力するように構成されている。操作部２３は、機械的な操作ボタン、または、タッチパネルにより構成されており、ユーザによる操作を受付するように構成されている。
【００４６】
通信部２４は、ローカルエリアネットワーク９０と接続するとともに、ローカルエリアネットワーク９０を介して、テレビジョン装置１０と通信するように構成されている。
【００４７】
ＲＯＭ２５は、書き換え可能なフラッシュＲＯＭを含む不揮発性のメモリである。ＲＯＭ２５には、制御部２７により用いられる各種のデータが格納される。詳細には、ＲＯＭ２５には、後述する実施予告通知処理（図５参照）のうち携帯情報端末２０側で実行される処理に対応するプログラムや、テレビジョン装置１０から受信した実施予告通知情報などが格納される。
【００４８】
ＲＡＭ２６は、揮発性のメモリである。また、ＲＡＭ２６は、ＲＯＭ２５に格納されたデータが制御部２７により用いられる際に、作業領域として利用されるように構成されている。詳細には、ＲＡＭ２６は、実施予告通知処理のためのプログラムが制御部２７により実行される際などに作業領域として利用されるように構成されている。
【００４９】
制御部２７は、携帯情報端末２０の各構成要素を制御するように構成されている。また、制御部２７は、テレビジョン装置１０から実施予告通知情報を受信した際に、実施予告通知情報をＲＯＭ２５に保存する制御を行うように構成されている。また、制御部２７は、図４に示すように、実施予告通知情報に基づいてユーザに対してテレビジョン装置１０に関するデータの更新の予告を行うための実施予告画像４０を作成して、表示部２１に表示する制御を行うように構成されている。具体的には、制御部２７は、実施予告画像４０として、「更新時刻」、「メーカー名」、「モデル名」、「型番」および「操作手順」についての情報を含む画像を表示部２１に表示する制御を行うように構成されている。なお、実施予告画像４０は、本発明の「第１実施予告画像」の一例である。
【００５０】
次に、図５を参照して、更新通知システム１００における実施予告通知処理についてフローチャートに基づいて説明する。
【００５１】
まず、テレビジョン装置１０（図２参照）では、図５に示すように、ステップＳ１において、放送波またはＢ−ＣＡＳカード３１（図２参照）から更新情報による更新の実施時刻に関する更新時刻情報が主制御部１８により取得される。そして、ステップＳ２において、ローカルエリアネットワーク９０に接続されている機器に対して、実施予告通知機能を有するか否かを問い合わせるための問い合わせ情報を送信（ブロードキャスト）する制御が主制御部１８（図２参照）により行われる。
【００５２】
そして、携帯情報端末２０（図２参照）では、実施予告通知機能を有するか否かを問い合わせるための問い合わせ情報を受信した場合には、実施予告通知機能を有するので、ステップＳ１１において、実施予告通知機能を有する機器であるのをテレビジョン装置１０に対して応答する制御が制御部２７（図２参照）により行われる。
【００５３】
そして、テレビジョン装置１０では、実施予告通知機能を有する機器である携帯情報端末２０から応答があるので、ステップＳ３において、実施予告通知情報（図３参照）が主制御部１８により作成される。そして、ステップＳ４において、携帯情報端末２０に対して実施予告通知情報を送信する制御が主制御部１８により行われる。そして。テレビジョン装置１０側の実施予告通知処理が終了される。
【００５４】
そして、携帯情報端末２０では、ステップＳ１２において、テレビジョン装置１０から受信した実施予告通知情報をＲＯＭ２５（図２参照）に保存する制御が制御部２７により行われる。そして、ステップＳ１３において、実施予告画像４０（図４参照）を作成する制御が制御部２７により行われる。そして、ステップＳ１４において、作成された実施予告画像４０を表示部２１（図２参照）に表示する制御が制御部２７により行われる。その結果、ユーザは、更新情報による更新の実施時刻を知ることができる。そして、携帯情報端末２０側の実施予告通知処理が終了される。
【００５５】
第１実施形態では、以下のような効果を得ることができる。
【００５６】
第１実施形態では、上記のように、テレビジョン装置１０の主制御部１８により更新時刻情報が取得されたことに基づいて、ローカルエリアネットワーク９０を介してデータの更新の実施予告通知が携帯情報端末２０に対して行われるように構成することによって、通常更新の実施時刻の数日前に取得される更新時刻情報が取得されたことをトリガーとしてデータの更新の実施予告通知が行われるので、更新の直前ではなく、更新時刻情報が取得されたタイミングに近い比較的早いタイミングで、更新情報によりデータの更新が行われるのを携帯情報端末２０を介してユーザに知らせることができる。これにより、比較的早いタイミングで更新を知ったユーザは、更新時刻情報取得後で、かつ、更新直前までの数日間の間にコンセントから電源プラグ３３を取り外すことがあったとしても、少なくとも更新情報による更新の実施時刻においては、電源プラグ３３をコンセントに取り付けると思われるので、更新の実施時刻において、テレビジョン装置１０に電力が供給されていない状態（「パワーオフ状態」）になるのを効果的に抑制することができる。その結果、更新情報による更新の実施時刻において、受信部１１により更新情報を受信することができるので、更新情報によるデータの更新が行われないのを効果的に抑制することができる。また、ローカルエリアネットワーク９０を介してデータの更新の実施予告通知が携帯情報端末２０に対して行われるように構成することによって、ユーザがテレビジョン装置１０を視聴していない場合にも、携帯情報端末２０を介して実施予告通知をユーザに知らせることができるので、より効果的にユーザにデータの更新を認識させることができる。
【００５７】
また、第１実施形態では、上記のように、更新時刻情報に基づいて、実施予告通知情報を作成して、作成した実施予告通知情報を携帯情報端末２０に対して送信することによって、実施予告通知を行うように主制御部１８を構成する。そして、テレビジョン装置１０から実施予告通知情報を受信した際に、受信した実施予告通知情報に基づく実施予告画像４０を表示部２１に表示する制御を行うことによって、ユーザに対してデータの更新の予告を行うように携帯情報端末２０の制御部２７を構成する。これにより、実施予告画像４０を携帯情報端末２０の表示部２１に表示することによって、実施予告画像４０をユーザに容易に認識させることができるので、更新情報によりデータの更新が行われるのをユーザに容易に知らせることができる。これにより、更新情報による更新の実施時刻において、更新情報によるデータの更新が行われないのをより効果的に抑制することができる。
【００５８】
また、第１実施形態では、上記のように、テレビジョン装置１０から実施予告通知情報を受信した際に、実施予告画像４０として更新の実施時刻を表示部２１に表示する制御を行うことによって、ユーザに対してデータの更新の予告を行うように制御部２７を構成する。これにより、実施予告画像４０として更新情報による更新の実施時刻をユーザに認識させることができるので、いずれの時間に更新情報によるデータの更新が行われるかをユーザに知らせることができる。したがって、更新情報による更新の実施時刻において、更新情報によるデータの更新が行われないのをより一層効果的に抑制することができる。
【００５９】
また、第１実施形態では、上記のように、更新時刻情報を取得した際に、実施予告通知情報を携帯情報端末２０に送信する制御を行うようにテレビジョン装置１０の主制御部１８を構成する。そして、携帯情報端末２０がテレビジョン装置１０から実施予告通知情報を受信した際に、携帯情報端末２０の表示部２１に実施予告画像４０を表示する。これにより、更新時刻情報を取得した際以外のタイミングに実施予告通知情報を携帯情報端末２０に送信する構成と異なり、ユーザにより電源プラグ３３がコンセントから取り外されるなどして、テレビジョン装置１０が実施予告通知情報を送信不能な状態（電力が供給されていない状態）になる前に、迅速に実施予告画像４０を携帯情報端末２０の表示部２１に表示することができる。
【００６０】
また、第１実施形態では、上記のように、テレビジョン装置１０から実施予告通知情報を受信した際に、受信した実施予告通知情報に基づいて、実施予告画像４０として更新の実施時刻および操作情報（操作手順の情報）を表示部２１に表示することによって、ユーザに対してデータの更新の予告を行うように制御部２７を構成する。これにより、更新の実施時刻と共に、更新の実施時刻までに行う必要のある操作の操作情報（操作手順の情報）を表示部２１に表示することができるので、いずれの時間までにいずれの操作を行うべきであるかをユーザに容易に知らせることができる。これによっても、更新情報によるデータの更新が行われないのを効果的に抑制することができる。
【００６１】
（第２実施形態）
次に、図２〜図４および図６を参照して、第２実施形態について説明する。この第２実施形態では、実施予告通知情報を受信した際に、携帯情報端末２０の表示部２１に実施予告画像４０が表示された上記第１実施形態の構成に加えて、実施予告画像４０が表示部２１に表示された後で、かつ、テレビジョン装置１１０の起動時刻前の所定の時刻にも携帯情報端末１２０の表示部２１に実施予告画像１４０を表示する例について説明する。なお、テレビジョン装置１１０は、本発明の「表示装置」の一例である。また、携帯情報端末１２０は、本発明の「情報端末」の一例である。また、実施予告画像１４０は、本発明の「第２実施予告画像」の一例である。
【００６２】
本発明の第２実施形態による更新通知システム２００は、図２に示すように、テレビジョン装置１１０と、携帯情報端末１２０とを備えている。また、テレビジョン装置１１０は、主制御部１１８を含んでいる。また、携帯情報端末１２０は、制御部１２７を含んでいる。なお、上記第１実施形態と同一の機能を有する構成については、同じ符号を付してその説明を省略する。また、更新通知システム２００は、本発明の「表示装置の更新通知システム」の一例である。
【００６３】
携帯情報端末１２０の制御部１２７は、上記第１実施形態と同様に、テレビジョン装置１１０から実施予告通知情報（図３参照）を受信した際に、図４に示すように、実施予告通知情報に基づいて実施予告画像４０を作成して、表示部２１に表示する制御を行うように構成されている。
【００６４】
ここで、更新情報による更新の実施時刻は、携帯情報端末１２０の表示部２１に実施予告画像４０が表示されてから、数日後である。これは、更新情報による更新の実施時刻に関する更新時刻情報が配信されてから、更新情報が配信されるまでに、数日の間があるためである。この間に、ユーザは、実施予告画像４０により予告された更新の実施時刻を忘れてしまう可能性がある。
【００６５】
そこで、第２実施形態では、制御部１２７は、実施予告画像４０が表示部２１に表示された後で、かつ、テレビジョン装置１１０の起動時刻前の所定の時刻に、テレビジョン装置１１０に対してテレビジョン装置１１０の状態を確認する問い合わせ情報を送信する制御を行うように構成されている。なお、起動時刻前の所定の時刻としては、どのような時刻が設定されてもよい。たとえば、図３に示すように、起動時刻が２０１４年２月１０日  ＡＭ２：００である場合には、６時間前である２０１４年２月９日  ＰＭ８：００が設定されてもよい。
【００６６】
また、第２実施形態では、制御部１２７は、問い合わせ情報に対するテレビジョン装置１１０からの応答がない場合には、表示部２１に実施予告画像１４０（図４参照）を表示する制御を行うように構成されている。具体的には、制御部１２７は、問い合わせ情報を送信してから所定の時間以内にテレビジョン装置１１０からの応答がない場合には、表示部２１に実施予告画像１４０を表示する制御を行うように構成されている。なお、実施予告画像１４０は、表示部２１に表示されるタイミングが異なること以外は、実施予告画像４０と同一の画像である。ここでは、理解の容易のために、別の符号を付している。
【００６７】
また、制御部１２７は、テレビジョン装置１１０からの応答がある場合には、表示部２１に実施予告画像１４０を表示しないように構成されている。
【００６８】
テレビジョン装置１１０の主制御部１１８は、テレビジョン装置１１０の状態を確認する問い合わせ情報を受信した場合には、問い合わせ情報に対して応答する制御を行うように構成されている。したがって、テレビジョン装置１１０が「パワーオン状態」および「第１待機状態」の場合には、主制御部１１８は、問い合わせ情報に対して応答する制御を行う。一方、テレビジョン装置１１０が「第２待機状態」および「パワーオフ状態」の場合には、主制御部１１８に電力が供給されていないので、主制御部１１８は、問い合わせ情報に対して応答する制御を行うことができない。したがって、この場合には、所定の時間経過後に、携帯情報端末１２０の表示部２１に実施予告画像１４０が表示される。
【００６９】
なお、テレビジョン装置１１０が「第２待機状態」の場合には、起動時刻において「第１待機状態」に遷移して、主制御部１１８に電力が供給されるので、更新情報による更新を実行することが可能である。しかしながら、携帯情報端末１２０は、テレビジョン装置１１０の主制御部１１８に電力が供給されていない状態が、「第２待機状態」または「パワーオフ状態」のいずれの状態であるかを判別することができない。したがって、テレビジョン装置１１０からの応答がない場合には必ず携帯情報端末１２０の表示部２１に実施予告画像１４０を表示することによって、更新情報によりデータの更新が行われるのをユーザに確実に知らせることが可能である。
【００７０】
次に、主に図６を参照して、更新通知システム２００における実施予告通知処理についてフローチャートに基づいて説明する。なお、図５に示した上記第１実施形態と同一の処理については、同じ符号を付してその説明を省略する。
【００７１】
図６に示すように、テレビジョン装置１１０（図２参照）におけるステップＳ１〜ステップＳ４の処理と、携帯情報端末１２０（図２参照）におけるステップＳ１１〜ステップＳ１４の処理とにおいて、テレビジョン装置１１０が更新時刻情報を取得した際に、実施予告画像４０（図３参照）が携帯情報端末１２０の表示部２１（図２参照）に表示される。
【００７２】
そして、第２実施形態では、携帯情報端末１２０では、ステップＳ１５において、起動時刻前の所定の時刻であるか否かが制御部１２７により判別される。起動前の所定の時刻でない場合には、ステップＳ１５の処理が繰り返される。
【００７３】
また、ステップＳ１５において、起動前の所定の時刻である場合には、ステップＳ１６において、テレビジョン装置１１０の状態を確認する問い合わせ情報を送信する制御が制御部１２７により行われる。
【００７４】
そして、テレビジョン装置１１０では、「パワーオン状態」および「第１待機状態」の場合には、主制御部１１８に電力が供給されているので、ステップＳ５において、問い合わせ情報に対する応答が主制御部１１８により行われる。また、「第２待機状態」および「パワーオフ状態」の場合には、図７に示すように、主制御部１１８に電力が供給されていないので、問い合わせ情報に対する応答が主制御部１１８により行われない。
【００７５】
そして、携帯情報端末１２０では、ステップＳ１７において、問い合わせ情報を送信してから所定の時間以内にテレビジョン装置１１０からの応答があるか否かが制御部１２７により判別される。応答がある場合（図６の場合）には、表示部２１に実施予告画像１４０を表示する制御が行われることなく、実施予告通知処理が終了される。
【００７６】
また、ステップＳ１７において、応答がない場合（図７の場合）には、ステップＳ１８において、表示部２１に実施予告画像１４０を表示する制御が制御部１２７により行われる。そして、実施予告通知処理が終了される。
【００７７】
なお、第２実施形態のその他の構成は、上記第１実施形態と同様である。
【００７８】
第２実施形態では、以下のような効果を得ることができる。
【００７９】
第２実施形態では、上記のように、データの更新の実施予告通知が携帯情報端末１２０に対して行われるように構成することによって、上記第１実施形態と同様に、更新情報によるデータの更新が行われないのを効果的に抑制することができる。
【００８０】
また、第２実施形態では、上記のように、実施予告画像４０に加えて、実施予告画像４０が表示部２１に表示された後で、かつ、テレビジョン装置１１０の起動時刻前の所定の時刻に、携帯情報端末１２０の表示部２１に実施予告画像１４０を表示する制御を行うように制御部１２７を構成する。これにより、実施予告画像４０に加えて、実施予告画像１４０により再度ユーザに対してデータの更新の予告を行うことができるので、更新情報によりデータの更新が行われるのをユーザに確実に知らせることができる。
【００８１】
また、第２実施形態では、上記のように、実施予告画像４０が表示部２１に表示された後で、かつ、起動時刻前の所定の時刻に、テレビジョン装置１１０に対してテレビジョン装置１１０の状態を確認する問い合わせ情報を送信する制御を行うように制御部１２７を構成する。そして、問い合わせ情報に対するテレビジョン装置１１０からの応答がない場合には、表示部２１に実施予告画像１４０を表示する制御を行うとともに、問い合わせ情報に対するテレビジョン装置１１０からの応答がある場合には、表示部２１に実施予告画像１４０を表示しないように制御部１２７を構成する。これにより、問い合わせ情報に対するテレビジョン装置１１０からの応答がない場合（テレビジョン装置１１０が更新情報を受信不能な状態である可能性が高い場合）には、携帯情報端末１２０の表示部２１に実施予告画像１４０を表示することによって、更新情報によりデータの更新が行われるのをユーザに確実に知らせることができるので、更新情報による更新の実施時刻において、更新情報によるデータの更新が行われないのを効果的に抑制することができる。また、問い合わせ情報に対するテレビジョン装置１１０からの応答がある場合（テレビジョン装置１１０が更新情報を受信可能な状態である可能性が高い場合）には、携帯情報端末１２０の表示部２１に実施予告画像１４０を表示しないことによって、ユーザに対して不必要にデータの更新の予告を行うのを抑制することができる。したがって、テレビジョン装置１１０の状態に応じて、適切に実施予告画像１４０によるデータの更新の予告を行うことができる。
【００８２】
なお、第２実施形態のその他の効果は、上記第１実施形態と同様である。
【００８３】
（第３実施形態）
次に、図２、図３および図８〜図１０を参照して、第３実施形態について説明する。この第３実施形態では、携帯情報端末１２０の表示部２１に実施予告画像４０および１４０が表示された上記第２実施形態の構成に加えて、テレビジョン装置２１０の起動時刻後の所定の時刻にも携帯情報端末２２０の表示部２１に実施予告画像２４０を表示する例について説明する。なお、テレビジョン装置２１０は、本発明の「表示装置」の一例である。また、携帯情報端末２２０は、本発明の「情報端末」の一例である。また、実施予告画像２４０は、本発明の「第２実施予告画像」の一例である。
【００８４】
本発明の第３実施形態による更新通知システム３００は、図２に示すように、テレビジョン装置２１０と、携帯情報端末２２０とを備えている。また、テレビジョン装置２１０は、主制御部２１８を含んでいる。また、携帯情報端末２２０は、制御部２２７を含んでいる。なお、上記第１および第２実施形態と同一の機能を有する構成については、同じ符号を付してその説明を省略する。また、更新通知システム３００は、本発明の「表示装置の更新通知システム」の一例である。なお、上記第１および第２実施形態と同一の構成については、同じ符号を付してその説明を省略する。
【００８５】
第３実施形態では、携帯情報端末２２０の制御部２２７は、実施予告画像４０が表示部２１に表示された後で、かつ、テレビジョン装置２１０の起動時刻後の所定の時刻に、テレビジョン装置２１０に対してテレビジョン装置２１０の状態を確認する問い合わせ情報を送信する制御を行うように構成されている。なお、起動時刻後の所定の時刻としては、更新の実施時刻の前であれば、どのような時刻が設定されてもよい。たとえば、図３に示すように、起動時刻が２０１４年２月１０日  ＡＭ２：００であり、更新の実施時刻が２０１４年２月１０日  ＡＭ３：００である場合には、起動時刻と更新の実施時刻の間の２０１４年２月１０日  ＡＭ２：３０が問い合わせ情報を送信する起動時刻後の所定の時刻として設定されてもよい。
【００８６】
また、第３実施形態では、制御部２２７は、起動時刻後の所定の時刻に送信された問い合わせ情報に対するテレビジョン装置２１０からの応答がない場合には、表示部２１に実施予告画像２４０（図８参照）を表示する制御を行うように構成されている。具体的には、制御部２２７は、問い合わせ情報を送信してから所定の時間以内にテレビジョン装置２１０からの応答がない場合には、表示部２１に実施予告画像２４０を表示する制御を行うように構成されている。ここで、実施予告画像２４０は、「更新時刻」、「メーカー名」、「モデル名」、「型番」および「操作手順」についての情報に加えて、「操作手順」の操作（製品のコンセントを電源に差し込む操作）をユーザが行ったか否かを確認するための確認ボタン２４１（２４１ａおよび２４１ｂ）を含む画像である。「操作手順」の操作を行った場合には、ユーザは、「はい」と表示された確認ボタン２４１ａを操作部２３により操作する。
【００８７】
確認ボタン２４１ａのユーザによる操作を受付した場合には、制御部２２７は、保存した実施予告通知情報（図３参照）を消去する制御を行うように構成されている。これにより、不要になった実施予告通知情報を消去することが可能である。
【００８８】
「操作手順」の操作を行わなかった場合には、ユーザは、「いいえ」と表示された確認ボタン２４１ｂを操作部２３により操作する。この場合には、実施予告通知情報は消去されないので、次の更新の実施時刻を取得した場合の実施予告通知処理の際に、以前更新が行われなかったことを通知することが可能である。
【００８９】
また、制御部２２７は、テレビジョン装置２１０からの応答がある場合には、表示部２１に実施予告画像２４０を表示しないように構成されている。
【００９０】
テレビジョン装置２１０の主制御部２１８は、テレビジョン装置２１０の状態を確認する問い合わせ情報を受信した場合には、問い合わせ情報に対して応答する制御を行うように構成されている。したがって、テレビジョン装置２１０が「パワーオン状態」および「第１待機状態」の場合には、主制御部２１８は、問い合わせ情報に対して応答する制御を行う。一方、テレビジョン装置２１０が「第２待機状態」および「パワーオフ状態」の場合には、主制御部２１８に電力が供給されていないので、主制御部２１８は、問い合わせ情報に対して応答する制御を行うことができない。したがって、この場合には、携帯情報端末２２０の表示部２１に実施予告画像２４０が表示される。
【００９１】
次に、主に図９および図１０を参照して、更新通知システム３００における実施予告通知処理についてフローチャートに基づいて説明する。なお、図６に示した上記第２実施形態と同一の処理については、同じ符号を付してその説明を省略する。
【００９２】
図９に示すように、テレビジョン装置２１０（図２参照）におけるステップＳ１〜ステップＳ５の処理と、携帯情報端末２２０（図２参照）におけるステップＳ１１〜ステップＳ１８の処理とにおいて、実施予告画像４０および１４０（図３参照）が携帯情報端末２２０の表示部２１（図２参照）に表示される。なお、携帯情報端末２２０におけるステップＳ１７の処理において、テレビジョン装置２１０からの応答がない場合には、実施予告画像１４０は、表示部２１に表示されない。
【００９３】
そして、第３実施形態では、携帯情報端末２２０では、図１０に示すように、ステップＳ１９において、起動時刻後の所定の時刻であるか否かが制御部２２７により判別される。起動後の所定の時刻でない場合には、ステップＳ１９の処理が繰り返される。
【００９４】
また、ステップＳ１９において、起動後の所定の時刻である場合には、ステップＳ２０において、テレビジョン装置２１０の状態を確認する問い合わせ情報を送信する制御が制御部２２７により行われる。
【００９５】
そして、テレビジョン装置２１０では、「パワーオン状態」および「第１待機状態」の場合には、主制御部２１８に電力が供給されているので、ステップＳ６において、問い合わせ情報に対する応答が主制御部２１８により行われる。また、「第２待機状態」および「パワーオフ状態」の場合には、主制御部２１８に電力が供給されていないので、問い合わせ情報に対する応答が主制御部２１８により行われない。
【００９６】
そして、携帯情報端末２２０では、ステップＳ２１において、問い合わせ情報を送信してから所定の時間以内にテレビジョン装置２１０からの応答があるか否かが制御部２２７により判別される。応答がある場合には、表示部２１に実施予告通知２４０を表示する制御が行われることなく、実施予告通知処理が終了される。
【００９７】
また、ステップＳ２１において、応答がない場合には、ステップＳ２２において、表示部２１に実施予告画像２４０を表示する制御が制御部２２７により行われる。そして、ステップＳ２３において、確認ボタン２４１ａとしての「はい」ボタンが操作されたか否かが制御部２２７により判別される。「はい」ボタンが操作されていない場合（確認ボタン２４１ｂとしての「いいえ」ボタンが操作された場合）には、実施予告通知情報が消去されることなく、実施予告通知処理が終了される。
【００９８】
また、ステップＳ２３において、「はい」ボタンが操作された場合には、ステップＳ２４において、実施予告通知情報が消去されて、実施予告通知処理が終了される。
【００９９】
なお、第３実施形態のその他の構成は、上記第２実施形態と同様である。
【０１００】
第３実施形態では、以下のような効果を得ることができる。
【０１０１】
第３実施形態では、上記のように、データの更新の実施予告通知が携帯情報端末２２０に対して行われるように構成することによって、上記第１実施形態と同様に、更新情報によるデータの更新が行われないのを効果的に抑制することができる。
【０１０２】
また、第３実施形態では、上記のように、上記第２実施形態の構成に加えて、実施予告画像４０が表示部に表示された後で、かつ、起動時刻後の所定の時刻にも、テレビジョン装置２１０に対してテレビジョン装置２１０の状態を確認する問い合わせ情報を送信する制御を行うように制御部２２７を構成する。そして、問い合わせ情報に対するテレビジョン装置２１０からの応答がない場合には、表示部２１に実施予告画像２４０を表示する制御を行うとともに、問い合わせ情報に対するテレビジョン装置２１０からの応答がある場合には、表示部２１に実施予告画像２４０を表示しないように制御部２２７を構成する。これにより、更新情報によりデータの更新が行われるのをユーザにより確実に知らせることができるので、更新情報による更新の実施時刻において、テレビジョン装置２１０を更新情報を受信可能な状態にすることができる。
【０１０３】
なお、第３実施形態のその他の効果は、上記第２実施形態と同様である。
【０１０４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【０１０５】
たとえば、上記第１〜第３実施形態では、多機能携帯電話（スマートフォン）としての携帯情報端末２０（１２０、２２０）に本発明を適用した例を示したが、本発明はこれに限られない。本発明は、多機能携帯電話（スマートフォン）としての携帯情報端末以外の情報端末にも適用可能である。たとえば、タブレットＰＣや、デスクトップＰＣなどに本発明を適用してもよい。
【０１０６】
また、上記第１〜第３実施形態では、テレビジョン装置１０（１１０、２１０）と携帯情報端末２０（１２０、２２０）とがローカルエリアネットワーク９０を介して通信した例を示したが、本発明はこれに限られない。本発明では、テレビジョン装置と携帯情報端末とがインターネットを介して通信してもよい。
【０１０７】
また、上記第１〜第３実施形態では、実施予告画像４０（１４０、２４０）を表示することによって、ユーザに対してデータの更新の予告を行った例を示したが、本発明はこれに限られない。本発明では、実施予告画像を表示する以外の方法によって、ユーザに対してデータの更新の予告を行ってもよい。たとえば、実施予告音声を出力することによって、ユーザに対してデータの更新の予告を行ってもよい。
【０１０８】
また、上記第１〜第３実施形態では、テレビジョン装置１０（１１０、２１０）が「パワーオン状態」、「第１待機状態」、「第２待機状態」、「パワーオフ状態」の４つの状態を有した例を示したが、本発明はこれに限られない。本発明では、テレビジョン装置が「パワーオン状態」と「パワーオフ状態」とに加えて、「第１待機状態」と「第２待機状態」とのうち、いずれか一方の状態のみを有していてもよい。
【０１０９】
また、上記第２および第３実施形態では、テレビジョン装置１１０（２１０）に対してテレビジョン装置１１０（２１０）の状態を確認する問い合わせ情報を送信するとともに、問い合わせ情報に対するテレビジョン装置１１０（２１０）からの応答に応じて実施予告画像１４０を表示した例を示したが、本発明はこれに限られない。本発明では、テレビジョン装置に対して問い合わせ情報を送信することなく、所定の時刻に実施予告画像を表示してもよい。
【０１１０】
また、上記第３実施形態では、携帯情報端末２２０が起動時刻前後の所定の時刻に問い合わせ情報を送信した例を示したが、本発明はこれに限られない。本発明では、携帯情報端末は、起動時刻に問い合わせ情報を送信してもよい。
【０１１１】
また、上記第２実施形態では、実施予告画像４０（１４０）として、「更新時刻」、「メーカー名」、「モデル名」、「型番」、「操作手順」についての情報を含む画像を、上記第３実施形態では、実施予告画像２４０として、さらに「操作手順」の操作（製品のコンセントを電源に差し込む操作）をユーザが行ったか否かを確認するための確認ボタン２４１（２４１ａおよび２４１ｂ）を含む画像を表示した例を示したが、本発明は、これに限られない。本発明では、これらの情報以外の情報を含む画像を表示してもよいし、これらの情報のうちから必要に応じて選択された情報を含む画像を表示してもよい。
【０１１２】
また、上記第１〜第３実施形態では、説明の便宜上、本発明の主制御部１８（１１８、２１８）および制御部２７（１２７、２２７）の処理を処理フローに沿って順番に処理を行うフロー駆動型のフローチャートを用いて説明したが、本発明はこれに限られない。本発明では、主制御部１８（１１８、２１８）および制御部２７（１２７、２２７）の処理動作を、イベントごとに処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【０１１３】
１０、１１０、２１０  テレビジョン装置（表示装置）
１１  受信部
１７  通信部（表示装置側通信部）
１８、１１８、２１８  主制御部（表示装置側制御部）
２０、１２０、２２０  携帯情報端末（情報端末）
２１  表示部
２４  通信部（端末側通信部）
２７、１２７、２２７  制御部（端末側制御部）
４０  実施予告画像（第１実施予告画像）
９０  ローカルエリアネットワーク（ネットワーク）
１００、２００、３００  更新通知システム（表示装置の更新通知システム）
１４０、２４０  実施予告画像（第２実施予告画像）
【図１】
2015192306.tif 000003
【図２】
2015192306.tif 000004
【図３】
2015192306.tif 000005
【図４】
2015192306.tif 000006
【図５】
2015192306.tif 000007
【図６】
2015192306.tif 000008
【図７】
2015192306.tif 000009
【図８】
2015192306.tif 000010
【図９】
2015192306.tif 000011
【図１０】
2015192306.tif 000012